(57)【要約】    【課題】  電源ジャックからの外部電源または電池を電源とする電子機器において、電池の液漏れなどの不慮の事故による内部回路等の損傷を簡単に且つ確実に防止することができる電子機器及びその電源ジャック使用方法を提供する。    【解決手段】  電池収納部５に電池８が装填されているときは、電池当接用部材１１が矢印Ｓａの方向に摺動して、電源ジャック蓋７の回転軸１２の一部に設けられた係止部１２ａと電池当接用部材１１の係止部１１ｃとが係合する。その結果、電源ジャック蓋７によって電源ジャック９のプラグ挿入口９ａが強制的にカバーされるので、電源ジャック９の端子部が外部へ露出しない。しかも電源ジャック蓋７を開くことができなくなるため、電源ジャック９に適合しない外部電源プラグや導電性の異物などが電源ジャック９内に入り込む余地がなくなる。【選択図】      図４
2006286361.tif 000002
【特許請求の範囲】
【請求項１】
外部電源用の電源プラグが挿入される電源ジャックと、電池を収納する電池収納部と、前記電源ジャックからの外部電源または前記電池を電源とする機器内部回路とを備えた電子機器において、
前記電池収納部に収納される電池を検知する電池検知手段と、
前記電源ジャックのプラグ挿入口を開閉自在に覆う電源ジャック蓋と、
前記電池検知手段によって前記電池収納部内に電池が検知されたときは、前記電源ジャック蓋の開閉を規制する電源ジャック蓋規制手段とを備えたことを特徴とする電子機器。
【請求項２】
前記電源ジャック蓋規制手段は、前記電池検知手段によって前記電池収納部内に電池が検知されないときには前記電源ジャック蓋の開閉規制を解除するように構成し、
前記電源ジャック蓋規制手段によって前記電源ジャック蓋の開閉規制が解除されているときに前記電池収納部への電池の挿入を規制する電池収納規制手段を備えたことを特徴とする請求項１に記載の電子機器。
【請求項３】
前記電池検知手段は、前記電池収納部へ挿入される電池の挿入方向と直交する方向に前記電池収納部内の電池を付勢する部材であり、前記電池収納規制手段は、該電池検知手段で構成したことを特徴とする請求項２に記載の電子機器。
【請求項４】
外部電源用の電源プラグが挿入される電源ジャックと、電池を収納する電池収納部と、前記電源ジャックからの外部電源または前記電池を電源とする機器内部回路とを備えた電子機器の電源ジャック使用方法であって、
前記電池収納部に収納される電池の有無を検知し、
前記電池収納部内に電池が検知されたときは、前記電源ジャックのプラグ挿入口をカバーして電源ジャックを使用不能にすることを特徴とする電子機器の電源ジャック使用方法。
【請求項５】
外部電源用の電源プラグが挿入される電源ジャックと、電池を収納する電池収納部と、前記電源ジャックからの外部電源または前記電池を電源とする機器内部回路とを備えた電子機器の電源ジャック使用方法であって、
前記電池収納部に収納される電池の有無を検知し、
前記電池収納部内に電池が検知されたときは、前記電源ジャックのプラグ挿入口をカバーして使用不能にし、前記電池収納部内に電池が検知されないときは、前記電池収納部への電池の挿入を規制すると共に、前記電源ジャックのプラグ挿入口のカバーを外して電源ジャックを使用可能にすることを特徴とする電子機器の電源ジャック使用方法。
【発明の詳細な説明】
【技術分野】
【０００１】
本発明は、デジタルカメラ等の電子機器及びその電源ジャック使用方法に関するものである。
【背景技術】
【０００２】
従来の電子機器では、電力として、機器内部に収納される電池と、機器が有する外部電源ジャックに差し込まれる外部電源アダプタとを利用するものが多い。このような構成の電子機器においては、電源ジャックの内部で発生する不慮の事故による電池の液漏れや機器内部回路の破損を防ぐために、対策が施されているものがある（例えば特許文献１）。
【０００３】
図９は、上記特許文献１に開示された従来の電源ジャックの構成を示す回路図である。
【０００４】
この電源ジャックは、電源プラグの接触子に接触する電源接続部１０７と、差し込まれた電源プラグを検知して開状態となる常閉接点部１０８と、差し込まれた電源プラグを検知して閉状態となる常開接点部１０９とを備えている。常閉接点部１０８の第１の端子部８７と常開接点部９の端子部９７とは内部電源Ｖを有する電路１０２に接続され、常閉接点部１０８の第２の端子部８６が接地電路１０１に接続されている。そして、電路１０２に機器内部回路２００が接続されている。
【０００５】
このような、内部電源Ｖを含む直列回路上に接続された電源ジャックに対して電源プラグが差し込まれると、常開接点部１０９が閉じた後、常閉接点部１０８が開き、機器内部回路２００への給電モードが、内部電源Ｖを使った給電モードから外部電源を使った給電モードに切り換わる。
【０００６】
そして、前記直列回路上に常開接点部１０９を配置しているので、電源プラグが差し込まれていないときは常に該直列回路は開状態になる結果、電源プラグが差し込まれていないときに、電源ジャック１００内に導電性の異物が入り込んだり、不適合電源プラグが誤って差し込まれたりして電源接続部１０７と常閉接点部１０８とが電気的にショートしたとしても、内部電源Ｖや機器内部回路２００に悪影響も及ぼさないように作用する。
【特許文献１】特開平１１−１５４５６４
【発明の開示】
【発明が解決しようとする課題】
【０００７】
しかしながら、上記特許文献１の電源ジャックでは、電源プラグが差し込まれていないときは常に電源プラグ挿入口が機器外部へ向けて開放され電源ジャック内部の端子部が露出しているため、不慮の事故が発生する恐れがある。例えば、電源プラグが差し込まれていないときに、電源プラグ挿入口から電源ジャック内部に導電性の異物が入り込み、それに気づかないまま適合電源プラグを差し込んだ場合には、前記内部電源Ｖを有する直列回路が電気的にショートする可能性があった。すなわち、適合電源プラグを差し込むことにより常開接点部１０９が閉じ、常開接点部１０９と導電性の異物を介して前記直列回路が電気的にショートを起こし、内部電源Ｖである電池が液漏れしたり、機器内部回路２００が破損したりする問題があった。
【０００８】
本発明は上記従来の問題点に鑑み、電源ジャックからの外部電源または電池を電源とする電子機器において、電池の液漏れなどの不慮の事故による内部回路等の損傷を簡単に且つ確実に防止することができる電子機器及びその電源ジャック使用方法を提供することを目的とする。
【課題を解決するための手段】
【０００９】
本発明は上記目的を達成するため、外部電源用の電源プラグが挿入される電源ジャックと、電池を収納する電池収納部と、前記電源ジャックからの外部電源または前記電池を電源とする機器内部回路とを備えた電子機器において、前記電池収納部に収納される電池を検知する電池検知手段と、前記電源ジャックのプラグ挿入口を開閉自在に覆う電源ジャック蓋と、前記電池検知手段によって前記電池収納部内に電池が検知されたときは、前記電源ジャック蓋の開閉を規制する電源ジャック蓋規制手段とを備えたことを特徴とする。
【００１０】
また、本発明は、外部電源用の電源プラグが挿入される電源ジャックと、電池を収納する電池収納部と、前記電源ジャックからの外部電源または前記電池を電源とする機器内部回路とを備えた電子機器の電源ジャック使用方法であって、前記電池収納部に収納される電池の有無を検知し、前記電池収納部内に電池が検知されたときは、前記電源ジャックのプラグ挿入口をカバーして電源ジャックを使用不能にすることを特徴とする。
【００１１】
また、本発明は、外部電源用の電源プラグが挿入される電源ジャックと、電池を収納する電池収納部と、前記電源ジャックからの外部電源または前記電池を電源とする機器内部回路とを備えた電子機器の電源ジャック使用方法であって、前記電池収納部に収納される電池の有無を検知し、前記電池収納部内に電池が検知されたときは、前記電源ジャックのプラグ挿入口をカバーして使用不能にし、前記電池収納部内に電池が検知されないときは、前記電池収納部への電池の挿入を規制すると共に、前記電源ジャックのプラグ挿入口のカバーを外して電源ジャックを使用可能にすることを特徴とする。
【発明の効果】
【００１２】
本発明によれば、電源ジャックからの外部電源または電池を電源とする電子機器において、電池の液漏れなどの不慮の事故による内部回路等の損傷を簡単に且つ確実に防止することが可能になる。
【発明を実施するための最良の形態】
【００１３】
本発明の電子機器及びその電源ジャック使用方法の実施の形態について、図面を参照しながら説明する。
【００１４】
図１は、本発明の実施の一形態に係る電子機器の主要ユニットを示す斜視図である。
【００１５】
この電子機器は、例えばデジタルカメラで構成され、その電力として、機器内部に装填される電池と、機器が有する電源ジャックに差し込まれる電源アダプタとを利用する。図１中の１はシャーシであり、このシャーシ１には、鏡筒ユニット２、ファインダーユニット３、及び本実施の形態の特徴を成す電池収納ユニット４が組み付けられている。
【００１６】
＜電池が装填されている場合の態様＞
まず、電池収納ユニット４内に電池が装填されている場合の態様について説明する。
【００１７】
図２は、図１中の電池収納ユニット４の斜視図であり、円筒形の電池が装填された状態を示している。また、図３は、図２に示した電池収納ユニット４を電池挿入側から見た状態を示す裏面図である。
【００１８】
電池収納ユニット４は、図２に示すように、例えば円筒型の電池８が装填される電池収納部５を備え、その上部端部には、電源ジャック９が配されている。この電源ジャック９には、外部電源アダプタ（ＡＣアダプタ）の電源プラグが差し込まれる。さらに、電源ジャック９の上部には電源基板６ａが配され、電源ジャック９が電源基板６ａに実装されている。すなわち、電源基板６ａを介して電源ジャック９が機器内部回路（図示省略）と電気的に接続されている。
【００１９】
また、電池収納ユニット４には、電源ジャック９のプラグ挿入口を開閉するための電源ジャック蓋７が回転軸１２を中心に回転自在に取り付けられている。そして、回転軸１２の一部には、後述する電池当接用部材１１の係止部１１ｃと係合するための切欠き部（図５の係止部１２ａ）が形成されている。
【００２０】
図４は、図２に示した電池収納ユニット４のＡ断面を示す断面図、図５は、図２に示した電池収納ユニット４のＢ断面を示す断面図であり、それぞれ電池収納ユニット４を電池挿入側から見た状態を示している。
【００２１】
図４及び図５に示すように、電源ジャック蓋７は、断面Ｌ字形を成し、その一端部が電源ジャック９のプラグ挿入口９ａを開放／閉鎖する役目を担い、他端部が回転軸１２に嵌入し図４中の矢印Ｒ方向に回転可能になっている。
【００２２】
図４及び図５中の１１は電池当接用部材である。この電池当接用部材１１は、部材本体の一方の端部に電池当接部１１ａが形成され、その他方の端部から腕部１１ｂが前記回転軸１２方向へと延設されている。そして、腕部１１ｂの突端部には、前記回転軸１２の係止部（切欠き部）１２ａと係合するための係止部１１ｃが構成されている。
【００２３】
この電池当接用部材１１は、不図示の付勢バネにより、電池８の挿入方向と直交する方向に電池８を常に付勢するように作用する。すなわち、一般に用いられる規格品の電池では外形サイズの規定範囲が大きいため、最大サイズの電池の装填を考慮して、電池外壁と電池収納部との間に必要最小限の隙間を設けるように電池収納部の設計を行う。しかしながら、平均的なサイズ以下の電池が装填された場合、電池収納部と電池との隙間により電池のガタ付きが生ずるため、電池を付勢し電池の電極と電池接触片との接触を安定させる必要がある。本実施の形態では、この付勢部材を独立して設けずに電池当接用部材１１で兼用している。これにより、本実施の形態の電池収納ユニット４を少ない部品点数で構成することができる。
【００２４】
上記した図１から図５までの例では、電池収納部５に電池８が装填されている場合の例であるが、電池収納部５に電池８が装填されているときには、電池当接用部材１１が図４の矢印Ｓａの方向に摺動し、電源ジャック蓋７を開閉するための回転軸１２の一部に設けられた係止部１２ａと電池当接用部材１１の係止部１１ｃとが係合して、電源ジャック蓋７がロックされた状態となる。その結果、電源ジャック蓋７を開けることができず、電源ジャック９の端子部が機器外部に露出しないため、電子機器の安全性が確保される。
【００２５】
＜電池が装填されていない場合の態様＞
次に、電池収納ユニット４に電池が装填されていない場合の態様について図６〜図８を参照しつつ説明する。
【００２６】
図６は、電池８が装填されていない場合の電池収納ユニット４の斜視図であり、図７は、図６に示した電池収納ユニット４を電池挿入側から見た状態を示す裏面図であり、また、図８は、図６に示した電池収納ユニット４のＣ断面を示す断面図であり、それぞれ電池が装填されてない状態を示している。
【００２７】
図７の１４は、電池接触片であり、この電池接触片１４の上部には電源基板６ｂが配され、電池接触片１４が電源基板６ｂに実装されている。すなわち、電源基板６ｂを介して電池接触片１４が機器内部回路（図示省略）と電気的に接続されている。
【００２８】
電池収納部５に電池８が装填されていない場合は、図６に示すように、電源ジャック蓋７を開けて、外部電源アダプタの電源プラグ１０を電源ジャック９に差し込むことが可能になる。すなわち、電池収納部５に電池８が装填されていない場合には、電池当接用部材１１は、その付勢バネにより（図示省略）、電池収納部５側の方向（図８の矢印Ｓｂ）へ摺動する。
【００２９】
その結果、電源ジャック蓋７の開閉用の回転軸１２の一部に設けられた係止部１２ａと電池当接用部材１１の係止部１１ｃとの係合状態が外されて、電源ジャック蓋７のロックが解除された状態となる。これによって、電源ジャック蓋７を開けて、電源プラグ１０を電源ジャック９に差し込むことができる。
【００３０】
さらに、電池当接用部材１１が電池収納部５側の方向（図８の矢印Ｓｂ）へ摺動することによって、その先端の電池当接部１１ａが図７に示すように電池収納部５の内部へ突出する。これによって、電池収納部５内に電池を装填しようとしても、電池を装填することができないように規制されるので、電池の液漏れなどの不慮の事故による電子機器の内部回路等の損傷を未然に防止することができる。
【００３１】
＜本実施の形態の利点＞
（１）電池収納部５に電池８が装填されているときは、電池当接用部材１１が矢印Ｓａの方向に摺動して、電源ジャック蓋７の回転軸１２に設けられた係止部１２ａと電池当接用部材１１の係止部１１ｃとが係合する。その結果、電源ジャック蓋７によって電源ジャック９のプラグ挿入口９aが強制的にカバーされるので、電源ジャック９の端子部が露出しない。しかも電源ジャック蓋７を開くことができなくなるため、電源ジャック９に適合しない外部電源プラグや導電性の異物などが電源ジャック９内に入り込む余地がなくなり、電池の液漏れなどの事故を確実に防止することができる。
【００３２】
（２）電池収納部５に電池８が装填されているときには、電源ジャック蓋７を開くことができないため、電子機器が電池８を使用して動作している際に、電源ジャック９に電源アダプタの電源プラグ１０が差し込まれることを確実に防止することができる。これにより、電子機器は、急激な電圧変動に起因する不安定な動作を回避することができ、安定した動作を確保することができる。
【００３３】
（３）電池８が装填されていないときに電源ジャック蓋７を開けて電源プラグ１０を電源ジャック９に差し込んでいる場合には、電源ジャック蓋７の回転軸１２の係止部１２ａと電池当接用部材１１の係止部１１ｃとの係合が解除されて、電池当接用部材１１は矢印Ｓｂの方向へ摺動し、その先端部の電池当接部１１aが電池収納部５の内部へ突出する。これにより、電源アダプタを使用中は電池を装填しようとしても装填できないように確実に規制されるので、電池の液漏れなどの不慮の事故による電子機器の内部回路等の損傷を未然に防止することができる。
【００３４】
（４）電池の挿入を検知可能な電池当接用部材１１は、電池の挿入方向と直交する方向に電池を付勢する電池付勢部材を兼ねるようにしたので、少ない部品点数で上記（１）〜（３）の利点を奏することができる。
【図面の簡単な説明】
【００３５】
【図１】実施の一形態に係る電子機器の主要ユニットを示す斜視図である。
【図２】図１中の電池収納ユニットの斜視図である。
【図３】図２に示した電池収納ユニットを電池挿入側から見た状態を示す裏面図である。
【図４】図２に示した電池収納ユニットのＡ断面を示す断面図である。
【図５】図２に示した電池収納ユニットのＢ断面を示す断面図である。
【図６】電池が装填されていない場合の電池収納ユニットの斜視図である。
【図７】図６に示した電池収納ユニットを電池挿入側から見た状態を示す裏面図である。
【図８】図６に示した電池収納ユニットのＣ断面を示す断面図である。
【図９】従来の電源ジャックの構成を示す回路図である。
【符号の説明】
【００３６】
４  電池収納ユニット
５  電池収納部
６  電源基板
７  電源ジャック蓋
８  電池
９  電源ジャック
９ａ  電源ジャックのプラグ挿入口
１０  外部電源プラグ
１１  電池当接用部材
１１ａ  電池当接部
１１ｃ  電池当接用部材の係止部
１２  電源ジャック蓋の開閉用回転軸
１２ａ  回転軸１２の係止部
１４  電池接触片
【図１】
2006286361.tif 000003
【図２】
2006286361.tif 000004
【図３】
2006286361.tif 000005
【図４】
2006286361.tif 000006
【図５】
2006286361.tif 000007
【図６】
2006286361.tif 000008
【図７】
2006286361.tif 000009
【図８】
2006286361.tif 000010
【図９】
2006286361.tif 000011